(57)【要約】【課題】照明装置からの光を遮蔽し、支柱に着脱可能であって、特に横方向からの風の影響を低減できる遮蔽板と、その遮蔽板を備えた街路灯を提供する。【解決手段】  照明装置からの光を遮蔽する遮蔽板であって、支柱への固定を可能とする固定部と、前記固定部と連結した遮蔽部とを備え、前記遮蔽部を形成する外縁のうち、前記固定部が連結する側と対向する側に、前記固定部に向かう方向に凹部が形成されていることを特徴とする。【選択図】図１
2017117668.tif 000002
【特許請求の範囲】
【請求項１】
照明装置からの光を遮蔽する遮蔽板であって、
支柱への固定を可能とする固定部と、
前記固定部と連結した遮蔽部とを備え、
前記遮蔽部を形成する外縁のうち、前記固定部が連結する側と対向する側に、前記固定部に向かう方向に凹部が形成されていることを特徴とする遮蔽板。
【請求項２】
請求項１に記載の遮蔽板であって、
平面視において、中心から両側に向かって徐々に面積が増加する領域を有するように、その外縁がＭ字形状であることを特徴とする請求項１に記載の遮蔽板。
【請求項３】
前記凹部の最も凹んだ箇所と対向するように、前記固定部が前記遮蔽板に連結されていることを特徴とする請求項１に記載の遮蔽板。
【請求項４】
前記固定部と前記遮蔽部の間に、前記遮蔽部が水平方向に対し１０°〜３０°の傾斜角を有するように連結される水平部を、さらに備えたことを特徴とする請求項１乃至３のいずれか１項に記載の遮蔽板。
【請求項５】
前記照明装置は前記支柱の上側に取付けられ、
前記照明装置の下側に請求項１乃至４のいずれか１項に記載の遮蔽板を備えた街路灯。
【請求項６】
前記照明装置は前記支柱の上側に取付けられ、
水平方向に対して前記照明装置方向に１０°〜３０°の傾斜が形成されるように請求項１乃至３のいずれか１項に記載の遮蔽板が前記支柱に固定されたことを特徴とする街路灯。
【請求項７】
前記照明装置は、前記支柱を中心とした環状に形成されていることを特徴とする請求項５または６に記載の街路灯。
【発明の詳細な説明】
【技術分野】
【０００１】
本発明は、街路灯等の灯具に取付け可能な遮蔽板及び当該遮蔽板を備えた灯具に関するものである。
【背景技術】
【０００２】
従来、街路灯の光源には、白熱灯や水銀灯などが使用されてきたが、近年では消費電力が少なく長寿命のＬＥＤ光源が用いられるようになってきた。このような街路灯に関して、例えば特許文献１に記載の街路灯は、ポールに支持される環状光源と、この環状光源の中央に配置される中央光源により、ポールの周囲を広範囲に照らすなど、ＬＥＤ光源を用いて所望の照度及び配光を得ることを可能にした街路灯である。
【０００３】
しかし、街路灯の分野においては、光を照らすべき領域（例えば道路等）と光を照らすべきでない領域（例えば照明装置の背面側に位置する私有地、農耕地、河川等）が存在し、照らすべき領域を照らし、照らすべきではない領域は照らさない街路灯が望まれている。
【０００４】
このような問題を解決するために、特許文献２においては、照明が必要な領域に効率的に照射し、漏れ光が少なく近隣光害を防ぐことができる街路灯が提供される。光源ユニットからの照射光を開口部を通して道路面に向けて反射させる反射面を有する略箱形状の反射ユニットを備えた街路灯である。これにより、照明必要領域外に及ぶ上方光束や漏れ光を少なくし、近隣の光害を防ぐとともに、省電力化を図ることができる。
【０００５】
しかし、特許文献２に係る街路灯では、反射ユニットは当初から街路灯と一体化して製造されるため、一旦、街路灯が設置されると、反射ユニットは簡単に取付け及び取り外しができないという問題があった。すなわち、街路灯設置後に、照らすべき領域と照らすべきではない領域が変化した場合に、光の配光が制御できないという問題があった。また、特許文献２に係る街路灯に使用される反射ユニットは、略箱形状であるため、特に横方向からの風の影響を受けやすい。そのため、台風等の強風時においては、当該略箱形状の反射ユニットが風を受け止め、街路灯を倒壊してしまうという恐れがあった。
【先行技術文献】
【特許文献】
【０００６】
【特許文献１】特開２０１３−５８３９７号公報
【特許文献２】特開２０１５−３８８２６号公報
【発明の概要】
【発明が解決しようとする課題】
【０００７】
そこで本発明は、照明装置からの光を遮蔽し、支柱に着脱可能であって、特に横方向からの風の影響を低減できる遮蔽板と、その遮蔽板を備えた街路灯を提供する。
【課題を解決するための手段】
【０００８】
本発明の一態様によれば、照明装置からの光を遮蔽する遮蔽板であって、支柱への固定を可能とする固定部と、前記固定部と連結した遮蔽部とを備え、前記遮蔽部を形成する外縁のうち、前記固定部が連結する側と対向する側に、前記固定部に向かう方向に凹部が形成されていることを特徴とする。
【発明の効果】
【０００９】
本発明によれば、照明装置からの光を遮蔽し、支柱に着脱可能であって、特に横方向からの風の影響を低減した遮蔽板と、その遮蔽板を備えた街路灯を提供できる。
【図面の簡単な説明】
【００１０】
【図１】本発明の実施形態に係る街路灯の概略図である。
【図２】本発明の実施形態に係る街路灯の照明部を示す図である。
【図３】本発明の実施形態に係る遮蔽板を示す図である。
【図４】本発明の実施形態に係る遮蔽板の支柱に対する設置角度を示す図である。
【図５】図１のＡ−Ａ線における断面図である。
【発明を実施するための形態】
【００１１】
次に、図面を参照して、本発明の実施形態を説明する。以下の図面の記載において、同一又は類似の部分には同一又は類似の符号を付している。ただし、図面は模式的なものであり、各領域の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１２】
図１は、本発明の実施形態に係る遮蔽板を備えた街路灯の概略図である。街路灯１は、支柱２の上部に取り付けられた照明装置１０と、照明装置１０の下側の支柱２に取付けられた遮蔽板２０を備えている。遮蔽板２０は照明装置１０からの光を遮蔽する。図１においては、照明装置１から出る光の方向を矢印で示した。支柱２の右側の領域が、光を照らしたい領域である。一方、支柱２の左側の領域（図１の斜線部分）が、光を照らしたくない領域である。このように、光を照らしたくない領域に遮蔽板２０を配置することで、照明装置１０から出た光を遮蔽することができ、街路灯１は照らしたい領域のみに光を照らすことができる。
【００１３】
図２は、照明装置１０の詳細を示したものである。複数の照明ユニット１０ａ〜１０ｈが時計回りに環状に形成され、それぞれの照明ユニット１０ａ〜１０ｈにはＬＥＤ１１が下側（地面側）に光を放つように配列されている。このように、照明装置１０を複数の照明ユニット１０ａ〜１０ｈにより環状に形成することで、ＬＥＤ１１からの光を地面側に支柱２と中心とした全周に向かって照らすことができる。
【００１４】
図３は、遮蔽板２０の詳細を示したものである。遮蔽板２０は、遮蔽部２１と、遮蔽部２１と連結される水平部２６と、水平部２６と連結される略Ｃ字形状の固定部２２とからなる。水平部２６の端縁の中央部には半円状の切欠きが形成され、この切欠き部と固定部２２の略Ｃ字形状を合わせることで孔２３が形成される。この孔２３に支柱２を貫通させることで、遮蔽板２０は支柱２に固定される。固定部２２と水平部２６はネジにより取り外しが可能となっており、遮蔽板２０を支柱２に取付け及び取り外しが容易にできる。なお、水平部２６は必要に応じて備えればよく、水平部２６を有さずに固定部２２と遮蔽部２１を直接連結させることもできる。その場合は、遮蔽部２１に切欠き部を設け、この切欠き部と固定部２２の略Ｃ字形状を合わせることで孔２３を形成してもよい。
【００１５】
遮蔽部２１は、外縁がＭ字の曲線形状となっている。すなわち、平面視で見たときに、固定部２２の対向する外縁に凹部２４及び凸部２５が形成されている。図３に示すように、遮蔽板２０の中心線をＢ−Ｂ線とすると、凹部２４の最も凹んだ箇所がＢ−Ｂ線上となるように左右対称の形状となっている。
【００１６】
また、固定部２２と連結する水平部２６の端縁の延長線をＣ−Ｃ線とし、Ｃ−Ｃ線を遮蔽部２１の凸部２５に達するまで垂直方向に移動させた線をＤ−Ｄ線とすると、凹部２４は、Ｄ−Ｄ線側からＣ−Ｃ線側に凹むように配置されている。すなわち、図３において、Ｃ−Ｃ線から垂直方向における遮蔽部２１の外縁までの距離は、凹部２４における距離Eのほうが、凸部２５における距離Ｆよりも小さいことが分かる。凹部２４は、遮蔽板２０の中心線Ｂ−Ｂ線上で最も凹んだ箇所を有しており、左右に向かって緩やかに広がるように形成される。平面視で見たときに、遮蔽板２０は、その中心線Ｂ−Ｂ線から左右に向かって緩やかに面積が大きくなるように形成される。
【００１７】
図４は、遮蔽板２０を支柱２に取付けた際の水平線に対する傾きθを示したものである。傾きθは、水平線に対し、照明装置１０に向かう方向に１０°〜３０°の傾きを有している。この傾きθを１０°以上とすることで、照明装置１０からの光漏れを抑え、効果的に光を遮蔽することができる。一方で、この傾きθを３０°よりも大きくし、遮蔽板２０を水平線に対して垂直方向に傾けて設置してしまうと、横風の影響を受けやすくなり、街路灯が倒壊する危険性が高くなってしまう。そのため、傾きθは、水平線に対し、照明装置１０に向かう方向に１０°〜３０°の範囲であることが好ましい。
【００１８】
図５は、図１のＡ−Ａ線における地面側から見た街路灯１の断面図である。環状の照明装置１０の上半分（照明ユニット１０ａ、１０ｂ、１０ｇ、１０ｈ）のほとんどの領域を遮蔽板２０が覆うように取付けられている。このように遮蔽板２０を取り付けることで、照明ユニット１０ａ、１０ｂ、１０ｇ、１０ｈから出射される光を遮蔽することができる。なお、遮蔽板２０の取り付け位置は固定部２２により、調整することができる。図５においては、照明ユニット１０ａ、１０ｂ、１０ｇ、１０ｈから出射される光を遮蔽するよう遮蔽板２０を配置しているが、遮蔽板２０を支柱２を中心として時計回りに回転させることで、例えば照明ユニット１０ｃ、１０ｄ、１０ｅ、１０ｆから出射される光を遮蔽することもできる。このため、支柱２を中心としてその周囲全方を照らす街路灯が既に設置された状態であって、光を照らしたくない領域が後から発生した場合であっても、この遮蔽板２０を後付けで取り付けることで、光の遮蔽領域を作ることができる。
【００１９】
また、遮蔽板２０は、固定部２２と対向する外縁に凹部２４が形成されている。これは、固定部２２には支柱２が配置されるため、照明器具１０から出射される光のうち、支柱２の裏側は、支柱２によって光が遮断される。すなわち、図５において、照明ユニット１０ｃ、１０ｄ、１０ｅ、１０ｆから遮蔽板２０側に出射される光のうち、その一部は支柱２によって遮断される。支柱２によって遮断される光を考慮し、遮蔽板２０は必要以上に大きくならないように形成している。例えば、遮蔽板２０に凹部２４を形成しないで、矩形とすることもできるが、遮蔽板２０の面積が必要以上に大きくなってしまう。それにより、遮蔽板２０の重量が増し、遮蔽板２０が取付けづらくなったり、面積が大きくなる分、遮蔽板２０のコストが増大する。本発明に係る遮蔽板２０は、支柱を中心として全方位に光を放つ街路灯において、光源からの光の一部を最小面積で効果的に遮蔽することができる。
【００２０】
また、遮蔽部２１の照明装置１０に対向する面は鏡面にすると、照らすべきではない領域の光を遮蔽するとともに、照らすべき領域に向けて効率よく光を反射させることができる。
【００２１】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００２２】
１・・・街路灯、
２・・・支柱、
１０・・・照明装置、
１０ａ〜１０ｈ・・・照明ユニット、
１１・・・ＬＥＤ、
２０・・・遮蔽板、
２１・・・遮蔽部、
２２・・・固定部、
２３・・・孔、
２４・・・凹部、
２５・・・凸部、
２６・・・水平部
【図１】
2017117668.tif 000003
【図２】
2017117668.tif 000004
【図３】
2017117668.tif 000005
【図４】
2017117668.tif 000006
【図５】
2017117668.tif 000007